(57)【要約】【課題】  コイルの経路が隣接する直線部分を有する場合に、直線部分に流れる電流が給電に寄与する領域の磁界に与える悪影響を抑制することのできる送電コイルおよび無線給電装置を提供することである。【解決手段】  送電コイル１１０は、直線状の経路１１１ｄを有する第１区画１１１と、直線状の経路１１２ｄを有する第２区画１１２と、を有する。第１区画１１１の経路と第２区画１１２の経路とはつながっている。第１区画１１１と第２区画１１２とは隙間を挟んで隣接している。経路１１１ｄと経路１１２ｄとは隙間を挟んで対面している。経路１１１ｄに流れる電流の向きと、経路１１２ｄに流れる電流の向きとは、同じである。【選択図】図３
2020061502.tif 000002
【特許請求の範囲】
【請求項１】
直線部分を含む第１経路を有する第１区画と、
直線部分を含む第２経路を有する第２区画と、
を有し、
前記第１区画の経路と前記第２区画の経路とはつながっており、
前記第１区画と前記第２区画とは隙間を挟んで隣接しており、
前記第１経路と前記第２経路とは前記隙間を挟んで対面しており、
前記第１経路の前記直線部分に流れる電流の向きと、前記第２経路の前記直線部分に流れる電流の向きと、がなす角の角度は、
０°以上１０°以下であること
を特徴とする送電コイル。
【請求項２】
請求項１に記載の送電コイルにおいて、
前記第１区画の経路に囲まれた第１の領域と、
前記第２区画の経路に囲まれた第２の領域と、
前記第１の領域と前記第２の領域との間に位置するとともに経路で囲まれていない第３の領域と、
を有し、
前記第１の領域の磁界の向きと前記第２の領域の磁界の向きとは反対であり、
前記第３の領域では、
前記第１経路に流れる電流が形成する磁界と前記第２経路に流れる電流が形成する磁界とが、互いに打ち消し合うこと
を特徴とする送電コイル。
【請求項３】
請求項１または請求項２に記載の送電コイルにおいて、
前記第１区画と前記第２区画とを連結する連結部を有し、
前記連結部では、
電流が前記第１区画から前記第２区画に流れる経路と、
電流が前記第２区画から前記第１区画に流れる経路と、
が交互に配置されていること
を特徴とする送電コイル。
【請求項４】
請求項１または請求項２に記載の送電コイルにおいて、
前記第１区画と前記第２区画とを連結する連結部を有し、
前記連結部では、
電流が前記第１区画から前記第２区画に流れる経路をまとめた第１の束と、
電流が前記第２区画から前記第１区画に流れる経路をまとめた第２の束と、
が配置されていること
を特徴とする送電コイル。
【請求項５】
請求項１から請求項４までのいずれか１項に記載の送電コイルにおいて、
前記第１区画の経路および前記第２区画の経路は、
線材であること
を特徴とする送電コイル。
【請求項６】
送電コイルと受電コイルとを有する無線給電装置において、
前記送電コイルは、
直線部分を含む第１経路を有する第１区画と、
直線部分を含む第２経路を有する第２区画と、
を有し、
前記第１区画の経路と前記第２区画の経路とはつながっており、
前記第１区画と前記第２区画とは隙間を挟んで隣接しており、
前記第１経路と前記第２経路とは前記隙間を挟んで対面しており、
前記第１経路の前記直線部分に流れる電流の向きと、前記第２経路の前記直線部分に流れる電流の向きと、がなす角の角度は、
０°以上１０°以下であること
を特徴とする無線給電装置。
【発明の詳細な説明】
【技術分野】
【０００１】
本明細書の技術分野は、送電コイルおよび無線給電装置に関する。
【背景技術】
【０００２】
近年、スマートフォンなどの携帯通信端末、その他の電子機器類に対して、無線給電する技術が活発に研究開発されてきている。また、車両用の電子デバイスに対しても、無線給電する技術が開発されてきている。
【０００３】
無線給電に用いられるコイルとして、８の字状に巻かれたコイルが用いられることがある。例えば、特許文献１には、８の字状に複数回巻きつけられた給電コイル１１ａおよび受電コイル２１ａが開示されている（特許文献１の図３等参照）。８の字状における隣接する２つのコイル部に流す電流を互いに逆向きにすることにより、２つのコイル部が磁力線を互いに吸収し合うことが開示されている（特許文献１の段落［００４３］）。また、給電コイル１１ａおよび受電コイル２１ａの周囲に不要電磁場放射が漏れることを抑制することができる旨が開示されている（特許文献１の段落［００４６］）。
【０００４】
また、特許文献２には、８の字状に１回巻きつけられたループコイル４３Ａ、４３Ｂを有するアンテナが開示されている（特許文献２の図１等参照）。一方のループコイル４３Ａから発生した磁束４５が隣接する他方のループコイル４３Ｂに入り、磁束４５が閉じる旨が開示されている（特許文献２の段落［００３５］）。これにより、磁束密度が高くな旨が開示されている。
【先行技術文献】
【特許文献】
【０００５】
【特許文献１】特開２０１３−２４７８２２号公報
【特許文献２】特開平０８−３３０８３８号公報
【発明の概要】
【発明が解決しようとする課題】
【０００６】
しかし、送電コイルの配置する場所によっては、コイルの形状を円弧ではなく直線部分を有する形状にする必要性が生じることがある。この場合、直線部分に流れる電流が、送電コイルの周囲の磁界に悪影響を及ぼすことがある。特に、直線部分が隣接している場合には、直線部分に流れる電流が、給電に寄与する領域の磁界に比較的大きな影響を及ぼすおそれがある。この場合には、受電コイルに流れる電流にノイズが生じることがある。
【０００７】
本明細書の技術が解決しようとする課題は、コイルの経路が隣接する直線部分を有する場合に、直線部分に流れる電流が給電に寄与する領域の磁界に与える悪影響を抑制することのできる送電コイルおよび無線給電装置を提供することである。
【課題を解決するための手段】
【０００８】
第１の態様における送電コイルは、直線部分を含む第１経路を有する第１区画と、直線部分を含む第２経路を有する第２区画と、を有する。第１区画の経路と第２区画の経路とはつながっている。第１区画と第２区画とは隙間を挟んで隣接している。第１経路と第２経路とは隙間を挟んで対面している。第１経路の直線部分に流れる電流の向きと、第２経路の直線部分に流れる電流の向きと、がなす角の角度は、０°以上１０°以下である。
【０００９】
この送電コイルは、コイルの経路が隣接する直線部分を有する場合に、直線部分に流れる電流が給電に寄与する領域の磁界に与える悪影響を抑制することができる。つまり、給電に際してノイズをほとんど生じさせないようにすることができる。また、この直線部分があるため、送電コイルは配置しやすい場合がある。
【発明の効果】
【００１０】
本明細書では、コイルの経路が隣接する直線部分を有する場合に、直線部分に流れる電流が給電に寄与する領域の磁界に与える悪影響を抑制することのできる送電コイルおよび無線給電装置が提供されている。
【図面の簡単な説明】
【００１１】
【図１】第１の実施形態の送電コイルの形状を示す図である。
【図２】第１の実施形態の送電コイルに電流が流れている場合を説明する図である。
【図３】第１の実施形態の送電コイルに流れる電流が形成する磁界を説明する図である。
【図４】第１の実施形態の送電コイルの連結部の拡大図である。
【図５】第１の実施形態の変形例における送電コイルの連結部の拡大図である。
【図６】第２の実施形態における車両の内部の様子を示す模式図である。
【図７】第２の実施形態の無線給電装置の概略構成を示す模式図である。
【図８】第２の実施形態の無線給電装置の回路を模式的に示す図である。
【発明を実施するための形態】
【００１２】
以下、具体的な実施形態について、送電コイルおよび無線給電装置を例に挙げて説明する。しかし、本明細書の技術はこれらの実施形態に限定されるものではない。
【００１３】
（第１の実施形態）
１．送電コイル
図１は、本実施形態の送電コイル１１０の形状を示す図である。図１では、送電コイル１１０の巻き数は３巻である。送電コイル１１０の材料は、金属製の線材である。線材として、例えば、単線、リッツ線が挙げられる。
【００１４】
送電コイル１１０は、２つの領域を囲む２つの区画を有する。送電コイル１１０は、第１区画１１１と第２区画１１２と連結部１１３と端部１１４と端部１１５とを有する。図１から明らかなように、ひとつながりの線材を第１区画１１１と第２区画１１２と連結部１１３と端部１１４と端部１１５とに分類する。第１区画１１１と第２区画１１２とはほぼ同一平面上にある。
【００１５】
１−１．第１区画および第２区画
第１区画１１１および第２区画１１２は、それぞれ別の受電コイルに送電する。第１区画１１１は第１の受電コイルに送電し、第２区画１１２は第２の受電コイルに送電する。このように、送電コイル１１０は、２つの受電コイルに送電できる。
【００１６】
第１区画１１１は、４つの経路１１１ａ、１１１ｂ、１１１ｃ、１１１ｄを有する。４つの経路１１１ａ、１１１ｂ、１１１ｃ、１１１ｄは直線部分を含む経路である。４つの経路１１１ａ、１１１ｂ、１１１ｃ、１１１ｄは、それぞれ第１区画１１１の中央付近に磁界を発生させる。このように、４つの経路１１１ａ、１１１ｂ、１１１ｃ、１１１ｄが、第１の領域Ｒ１を囲うため、第１の領域Ｒ１の周囲に比較的強い磁界が形成される。
【００１７】
第２区画１１２は、４つの経路１１２ａ、１１２ｂ、１１２ｃ、１１２ｄを有する。４つの経路１１２ａ、１１２ｂ、１１２ｃ、１１２ｄは直線部分を含む経路である。４つの経路１１２ａ、１１２ｂ、１１２ｃ、１１２ｄは、それぞれ第２区画１１２の中央付近に磁界を発生させる。このように、４つの経路１１２ａ、１１２ｂ、１１２ｃ、１１２ｄが、第２の領域Ｒ２を囲うため、第２の領域Ｒ２の周囲に比較的強い磁界が形成される。
【００１８】
経路１１１ｄは、直線部分を含む第１経路である。経路１１２ｄは、直線部分を含む第２経路である。経路１１１ｄと経路１１２ｄとは隙間を挟んで対面している。また、前述のように、第１区画１１１の経路と第２区画１１２の経路と連結部１１３の経路とはつながっている。そして、第１区画１１１と第２区画１１２とは隙間を挟んで隣接している。
【００１９】
１−２．連結部
連結部１１３は、第１区画１１１と第２区画１１２とを連結している。連結部１１３の長さは、経路１１１ａ、１１１ｂ、１１１ｃ、１１１ｄおよび経路１１２ａ、１１２ｂ、１１２ｃ、１１２ｄより十分に短い。
【００２０】
１−３．第１の領域と第２の領域と第３の領域
第１の領域Ｒ１は、第１区画１１１の経路１１１ａ、１１１ｂ、１１１ｃ、１１１ｄに囲まれた領域である。第２の領域Ｒ２は、第２区画１１２の経路１１２ａ、１１２ｂ、１１２ｃ、１１２ｄに囲まれた領域である。第３の領域Ｒ３は、第１区画１１１と第２区画１１２との間に位置するとともに経路に囲まれていない領域である。第３の領域Ｒ３は、第１区画１１１と第２区画１１２との間の隙間である。そのため、第３の領域Ｒ３の幅は、第１の領域Ｒ１の幅および第２の領域Ｒ２の幅よりも狭い。
【００２１】
１−４．送電コイルの大きさ
送電コイル１１０の１巻が囲む面をｘｙ平面と仮定すると、送電コイル１１０はｘｙ平面に垂直なｚ軸方向に積層されている。
【００２２】
図１の横軸方向を仮想的にｘ軸方向とする。送電コイル１１０のｘ軸方向の長さは、例えば、１０ｍｍ以上４００ｍｍ以下である。８０ｍｍ以上３５０ｍｍ以下であるとよい。送電コイル１１０のｙ軸方向の長さは、例えば、１０ｍｍ以上４００ｍｍ以下である。５０ｍｍ以上１００ｍｍ以下であるとよい。送電コイル１１０のｚ軸方向の長さは、例えば、０．５ｍｍ以上１０ｍｍ以下である。なお、連結部１１３の長さ、すなわち、経路１１１ｄと経路１１２ｄとの間の距離は、例えば、２０ｍｍ以上５０ｍｍ以下である。これらの数値範囲は目安であり、上記以外の数値であってもよい。
【００２３】
２．送電コイルに流れる電流および磁界
２−１．電流
図２は、本実施形態の送電コイル１１０に電流が流れている場合を説明する図である。送電コイル１１０には交流電流が流れる。図２では、ある時刻に電流が流れている向きを矢印で示している。
【００２４】
図２に示すように、この場合には、電流は、端部１１４、経路１１１ａ、連結部１１３、経路１１２ｄ、経路１１２ｃ、経路１１２ｂ、経路１１２ａ、連結部１１３、経路１１１ｄ、経路１１１ｃ、経路１１１ｂの順に流れ、端部１１５に至る。
【００２５】
なお、連結部１１３における隣接する経路では、電流が互いに逆向きに流れる。
【００２６】
２−２．磁界
第１の領域Ｒ１では、経路１１１ａ、経路１１１ｂ、経路１１１ｃ、経路１１１ｄに流れる電流が磁界を形成する。この磁界が互いに強め合う。第１の領域Ｒ１では、磁界は、紙面の裏から表に向かう＋ｚ軸方向に向かう向きに形成される。
【００２７】
第２の領域Ｒ２では、経路１１２ａ、経路１１２ｂ、経路１１２ｃ、経路１１２ｄに流れる電流が磁界を形成する。この磁界が互いに強め合う。第２の領域Ｒ２では、磁界は、紙面の表から裏に向かう−ｚ軸方向に向かう向きに形成される。
【００２８】
このとき、対面する経路１１１ｄと経路１１２ｄとでは、同じ向きに電流が流れる。そして、経路１１１ｄと経路１１２ｄとの間の第３の領域Ｒ３では、経路１１１ｄに流れる電流が形成する第１の磁界と、経路１１２ｄに流れる電流が形成する第２の磁界と、が互いに打ち消し合う。つまり、第３の領域Ｒ３では、磁界が強め合わない。
【００２９】
実際には、送電コイル１１０に流れる電流は交流である。交流であることを考慮しても、第１区画１１１の第１の領域Ｒ１では、第１の方向に磁界を強め合い、第２区画１１２の第２の領域Ｒ２では、第２の方向に磁界を強め合う。ここで、第１の方向と第２の方向とは正反対の方向である。このように第１の領域Ｒ１の磁界の向きと第２の領域Ｒ２の磁界の向きとは反対である。一方、第１の領域Ｒ１と第２の領域Ｒ２との間に位置する第３の領域では、磁界を弱めあう。
【００３０】
３．本実施形態の効果
図３は、本実施形態の送電コイル１１０に流れる電流が形成する磁界を説明する模式図である。図３に示すように、第１の領域Ｒ１と第２の領域Ｒ２とを結ぶ磁界が形成される。磁界の流れは、図３中の矢印Ｌ１で示される。このように、第１の領域Ｒ１の磁界と第２の領域Ｒ２の磁界とは互いに強め合う。また、磁束が第１の領域Ｒ１および第２の領域Ｒ２を貫通して閉じる。
【００３１】
そして、磁界を弱めあう第３の領域Ｒ１が第１の領域Ｒ１と第２の領域Ｒ２との間に位置することにより、第１の領域Ｒ１および第２の領域Ｒ２の磁界は、第３の領域Ｒ３の磁界の影響をほとんど受けない。交流電流により、第１の領域Ｒ１および第２の領域Ｒ２の磁界は大きく変動するが、第３の領域Ｒ３の磁界は小さいままである。そのため、第３の領域Ｒ３が、第１の領域Ｒ１および第２の領域Ｒ２の緩衝領域のような役割を果す。
【００３２】
このように、送電コイル１１０が形成する磁界は安定している。そのため、送電コイル１１０に電流を流すことにより、高周波のノイズ等が発生しにくい。
【００３３】
なお、連結部１１３は、第１の領域Ｒ１および第２の領域Ｒ２からある程度離れているため、連結部１１３の経路に流れる電流が、第１の領域Ｒ１および第２の領域Ｒ２に形成される磁界にはほとんど影響を及ぼさないと考えられる。
【００３４】
４．変形例
４−１．対面する直線経路の角度
本実施形態では、経路１１１ｄに流れる電流の向きと、経路１１２ｄに流れる電流の向きとは、同じである。ただし、経路１１１ｄと経路１１２ｄとは、互いに平行でない場合がある。その場合であっても、経路１１１ｄに流れる電流の向きと、経路１１２ｄに流れる電流の向きと、がなす角の角度が小さければよい。経路１１１ｄに流れる電流の向きと、経路１１２ｄに流れる電流の向きと、がなす角の角度は、０°以上１０°以下であるとよい。また、この角度は０°以上５°以下であるとなおよい。なお、経路１１１ｄに流れる電流の向きと経路１１２ｄに流れる電流の向きとが同じ場合には０°である。これらの向きが反対向きの場合には１８０°である。
【００３５】
４−２．積層方法
図４は、本実施形態の送電コイル１１０の連結部１１３の拡大図である。図４に示すように、隣接する線材では、電流が互いに逆向きに流れている。つまり、連結部１１３では、電流が第１区画１１１から第２区画１１２に流れる経路と、電流が第２区画１１２から第１区画１１１に流れる経路と、が交互に配置されている。
【００３６】
図５は、本実施形態の変形例における送電コイル１１０の連結部１１３の拡大図である。図５に示すように、同じ束に属する線材のうち隣接する線材では、電流が同じ向きに流れている。ただし、連結部１１３において、異なる束に属する線材では、電流が互いに逆向きに流れている。つまり、連結部１１３は、電流が第１区画１１１から第２区画１１２に流れる経路をまとめた第１の束Ｂ１と、電流が第２区画１１２から第１区画１１１に流れる経路をまとめた第２の束Ｂ２と、を有する。
【００３７】
４−３．曲線部分
送電コイル１１０の経路は曲線部分を有していてもよい。例えば、経路１１１ａと経路１１２ａとに相当する部分が曲線形状であってもよい。もちろん、その他の経路に相当する部分が曲線形状であってもよい。ただし、第２の実施形態で説明するように、送電コイル１１０の配置を考慮すると、各々の経路は直線状であることが好ましい場合がある。
【００３８】
経路１１１ｄと経路１１２ｄとに相当する経路が曲線形状を含んでいてもよい。その場合であっても、経路１１１ｄと経路１１２ｄとに相当する経路は少なくとも直線部分を含んでいる。そして、それぞれの経路が有する直線部分がなす角の角度は、０°以上１０°以下であるとよい。
【００３９】
４−４．組み合わせ
上記の変形例を自由に組み合わせてもよい。
【００４０】
（第２の実施形態）
第２の実施形態について説明する。第２の実施形態では、第１の実施形態の送電コイル１１０を採用するのに好適な無線給電装置について説明する。
【００４１】
１．車載部品
図６は、車両の内部の様子を示す模式図である。図６に示すように、車両の運転席の正面にはインストルメントパネルＩＰがある。インストルメントパネルＩＰには、複数の空調用レジスタＣＡ１が設けられている。空調用レジスタＣＡ１は、筐体１６０と、ユーザーが風向を調整するためのノブＮ１と、を有する。ノブＮ１は、発光することができるようになっている。車内が暗い場合であっても、ユーザーがノブＮ１の位置を容易に把握することができるからである。
【００４２】
２．無線給電装置
図７は、第１の実施形態の無線給電装置１００の概略構成を示す模式図である。無線給電装置１００は、磁界結合式の無線給電を行う。図７に示すように、無線給電装置１００は、１個の送電コイル１１０と、２個の受電コイル１２０と、送電回路１３０と、受電回路１４０と、発光装置１５０と、筐体１６０と、を有する。
【００４３】
無線給電装置１００の共振周波数は、６．７８ＭＨｚである。そのため、送電コイル１１０および受電コイル１２０に流れる電流の周波数は６．７８ＭＨｚである。送電コイル１１０のＬＣ回路の共振周波数も６．７８ＭＨｚである。受電コイル１２０のＬＣ回路の共振周波数も６．７８ＭＨｚである。送電回路１３０が送電コイル１１０に流す電流の周波数も６．７８ＭＨｚである。実際には、狙った周波数からわずかにずれる場合がある。また、例示として６．７８ＭＨｚを挙げたが、例えば、５００ｋＨｚ以上１５ＭＨｚ以下の共振周波数を採用してもよい。また、上記以外の共振周波数を用いてもよい。
【００４４】
送電コイル１１０は、受電コイル１２０の周囲に磁界を形成するためのコイルである。送電コイル１１０は、後述するコンデンサーと直列に接続されている。送電コイル１１０は、線材からなる。線材として、例えば、単線、リッツ線が挙げられる。送電コイル１１０の材質は、例えば、銅が挙げられる。送電コイル１１０は、２つの四辺形を囲むような形状をしている。送電コイル１１０は、空芯である。送電コイル１１０の巻き数は１以上３以下であるとよい。もちろん、この数値範囲に限らない。なお、図７では、送電コイル１１０の巻き数は１である。送電コイル１１０は、例えば、筐体１６０の溝等にはめ込まれている。
【００４５】
受電コイル１２０は、送電コイル１１０が形成する磁界により電流を発生させるコイルである。受電コイル１２０は、後述するコンデンサーと直列に接続されている。受電コイル１２０は、線材からなる。線材として、例えば、単線、リッツ線が挙げられる。受電コイル１２０の材質は、例えば、銅が挙げられる。図７において、受電コイル１２０は、四角形に近い形状をしているが、ばねのような螺旋形状であってもよい。
【００４６】
送電回路１３０は、送電コイル１１０に流す交流電圧を発振するための回路である。送電回路１３０は、６．７８ＭＨｚの交流電流を発生させる。
【００４７】
受電回路１４０は、受電コイル１２０に流れる電流を発光装置１５０に適した電流に変換するための回路である。具体的には、受電コイル１２０の交流電圧を発光装置１５０を駆動させるための直流電圧に変換する。受電回路１４０は、整流回路等その他の機能を備えていてもよい。
【００４８】
発光装置１５０は、暗い車内であってもノブＮ１の位置をユーザーに分かりやすく示すためのものである。発光装置１５０は、受電コイル１２０からの電力により駆動される電子部品である。発光装置１５０は、空調用レジスタのノブＮ１の一部を構成している。発光装置１５０は、半導体発光素子を有する。発光装置１５０は直流電圧により発光する。発光装置１５０は、電子デバイスであり電子部品である。なお、ノブＮ１は、ユーザーが操作する操作部である。ユーザーがノブＮ１の位置を変えることにより、ユーザーは空調用レジスタＣＡ１の風向を調整することができる。
【００４９】
筐体１６０は、空調用レジスタＣＡ１のハウジングである。つまり、筐体１６０に囲まれた装置は、空調用レジスタＣＡ１である。筐体１６０の材質は、例えば、プラスチックである。筐体１６０は、装置のハウジングであるため、その厚みは十分に薄い。
【００５０】
３．無線給電装置の回路
図８は、本実施形態の無線給電装置１００の回路を模式的に示す図である。図８に示すように、送電コイル１１０は、コンデンサーＣ１とともにＬＣ直列回路を構成する。受電コイル１２０は、コンデンサーＣ２とともにＬＣ直列回路を構成する。前述のように、送電コイル１１０側のＬＣ直列回路の共振周波数と、受電コイル１２０側のＬＣ直列回路の共振周波数とは、等しくなるように回路設計されている。
【００５１】
無線給電装置１００における送電出力は１０Ｗ以下である。例えば、５Ｗである。発光装置１５０を駆動する電圧は、例えば、５Ｖである。もちろん、上記以外の数値であってもよい。発光装置１５０に流れる電流は、１ｍＡ以下である。もちろん、上記以外の数値であってもよい。
【００５２】
なお、図８では、コンデンサーＣ１は、送電回路１３０の外にあるように描かれている。図８は概念的なものであり、コンデンサーＣ１は、送電回路１３０の中にあってもよい。同様に、コンデンサーＣ２は、受電回路１４０の中にあってもよい。
【００５３】
４．本実施形態の効果
本実施形態では、送電コイル１１０の第１区画１１１および第２区画１１２がそれぞれ、筐体１６０を囲っている。第１区画１１１および第２区画１１２の形状が筐体１６０に対応している。そのため、送電コイル１１０を筐体１６０に取り付けやすい。そして、空調用レジスタＣＡ１のノブＮ１のように配線を接続しにくいような場所であっても、無線給電を行うことができる。このように、車両部品の設計の柔軟性が向上している。
【００５４】
また、車両では一般に振動が発生する。そのため、固定しているはずの送電コイル１１０の位置がずれてしまうおそれがある。本実施形態の無線給電装置１００では、送電コイル１１０が筐体１６０に十分に固定されているため、車内で振動が繰り返し生じても、送電コイル１１０の位置がずれるおそれがほとんどない。
【００５５】
５．変形例
５−１．支持部材
筐体１６０に設けられる支持部材は、その他の形状または構造であってもよい。例えば、クリップ、スペーサ―等を採用することができる。
【００５６】
５−２．無線給電方式
本実施形態の無線給電装置１００は、磁界結合方式である。しかし、第１の実施形態の技術を電磁誘導方式の無線給電装置に適用することもできる。
【００５７】
５−３．筐体
本実施形態の筐体１６０は、空調用レジスタのハウジングである。しかし、筐体１６０は、その他の車載部品のハウジングであってもよい。また、車載部品以外の電化製品であってもよい。筐体１６０の材質は、ガラス、樹脂、セラミックス、その他の非導電性材料であるとよい。
【００５８】
５−４．電子部品
本実施形態の無線給電装置１００は、発光装置１５０を有する。無線給電装置１００は、発光装置１５０の代わりに、その他の電子デバイスまたは電子部品を有していてもよい。
【００５９】
５−５．組み合わせ
上記の変形例を自由に組み合わせてもよい。
【００６０】
（付記）
第１の態様における送電コイルは、直線部分を含む第１経路を有する第１区画と、直線部分を含む第２経路を有する第２区画と、を有する。第１区画の経路と第２区画の経路とはつながっている。第１区画と第２区画とは隙間を挟んで隣接している。第１経路と第２経路とは隙間を挟んで対面している。第１経路の直線部分に流れる電流の向きと、第２経路の直線部分に流れる電流の向きと、がなす角の角度は、０°以上１０°以下である。
【００６１】
第２の態様における送電コイルは、第１区画の経路に囲まれた第１の領域と、第２区画の経路に囲まれた第２の領域と、第１の領域と第２の領域との間に位置するとともに経路で囲まれていない第３の領域と、を有する。第１の領域の磁界の向きと第２の領域の磁界の向きとは反対である。第３の領域では、第１経路に流れる電流が形成する磁界と第２経路に流れる電流が形成する磁界とが、互いに打ち消し合う。
【００６２】
第３の態様における送電コイルは、第１区画と第２区画とを連結する連結部を有する。連結部では、電流が第１区画から第２区画に流れる経路と、電流が第２区画から第１区画に流れる経路と、が交互に配置されている。
【００６３】
第４の態様における送電コイルは、第１区画と第２区画とを連結する連結部を有する。連結部では、電流が第１区画から第２区画に流れる経路をまとめた第１の束と、電流が第２区画から第１区画に流れる経路をまとめた第２の束と、が配置されている。
【００６４】
第５の態様における送電コイルにおいては、第１区画の経路および第２区画の経路は、線材である。
【００６５】
第６の態様における無線給電装置は、送電コイルと受電コイルとを有する。送電コイルは、直線部分を含む第１経路を有する第１区画と、直線部分を含む第２経路を有する第２区画と、を有する。第１区画の経路と第２区画の経路とはつながっている。第１区画と第２区画とは隙間を挟んで隣接している。第１経路と第２経路とは隙間を挟んで対面している。第１経路の直線部分に流れる電流の向きと、第２経路の直線部分に流れる電流の向きと、がなす角の角度は、０°以上１０°以下である。
【符号の説明】
【００６６】
１００…無線給電装置
１１０…送電コイル
１１１…第１区画
１１１ａ、１１１ｂ、１１１ｃ、１１１ｄ…経路
１１２…第２区画
１１２ａ、１１２ｂ、１１２ｃ、１１２ｄ…経路
１１２…連結部
１２０…受電コイル
１３０…送電回路
１４０…受電回路
１５０…発光装置
１６０…筐体
Ｒ１…第１の領域
Ｒ２…第２の領域
Ｒ３…第３の領域
【図１】
2020061502.tif 000003
【図２】
2020061502.tif 000004
【図３】
2020061502.tif 000005
【図４】
2020061502.tif 000006
【図５】
2020061502.tif 000007
【図６】
2020061502.tif 000008
【図７】
2020061502.tif 000009
【図８】
2020061502.tif 000010